(57)【要約】    【課題】  筐体を閉じた状態で、背面のＬＣＤに重要度の高い未読メールを自動的に選択して表示することを可能にする折り畳み型携帯電話機を提供する。    【解決手段】  筐体を閉じた状態で情報を表示する背面ＬＣＤ２３を備える折り畳み型携帯電話機１０であり、受信したメールを、メールの重要度に基づいて当該重要度に対応付けられたフォルダに格納し、筐体を閉じた状態で、フォルダに格納されたメールのうち、未読のメールを重要度の高い順に選択して背面ＬＣＤ２３に表示する未読メール確認表示手段１２を備える。【選択図】    図１
2005277798.tif 000002
【特許請求の範囲】
【請求項１】
筐体を閉じた状態で情報を表示する背面ＬＣＤを備える折り畳み型携帯電話機であって、
受信したメールを、メールの重要度に基づいて当該重要度に対応付けられたフォルダに格納し、筐体を閉じた状態で、前記フォルダに格納された前記メールのうち、未読のメールを重要度の高い順に選択して前記背面ＬＣＤに表示する手段を備えることを特徴とする折り畳み型携帯電話機。
【請求項２】
受信した前記メールの振り分けに使用する、少なくとも件名、差出人、本文のフィールドの指定と、前記フィールド内の検索キーワードと格納先のフォルダを指定した振り分け条件を設定する振り分け条件テーブルと、
受信した前記メールを前記振り分け条件テーブルの振り分け条件に基づいて、複数のフォルダに振り分ける振り分け手段と、
前記フォルダ毎に前記重要度を対応付けて指定したフォルダ情報と、前記各フォルダ毎に格納した前記メールの受信日付、メールの内容、未読と既読の有無を示す未読・既読情報からなるメール情報を格納する管理テーブルと、
前記管理テーブルの前記フォルダ情報及び前記メール情報に基づいて、重要度の高いメールを格納する前記フォルダから順に、未読のメールを選択する選択手段を備えることを特徴とする請求項１に記載の折り畳み型携帯電話機。
【請求項３】
前記選択手段は、重要度の高い前記フォルダの順に、未読でかつ受信日付の新しいメールを順に選択することを特徴とする請求項２に記載の折り畳み型携帯電話機。
【請求項４】
前記振り分け手段は、前記振り分け条件テーブルの前記振り分け条件を読み出し、受信したメールから指定されたフィールドとキーワードを検索し、指定された格納先のフォルダに振り分けることを特徴とする請求項２又は請求項３に記載の折り畳み型携帯電話機。
【請求項５】
前記選択手段は、前記フォルダ情報を重要度の高い順にソートして、重要度の高いフォルダから順に、当該フォルダに格納される前記メールを未読・既読情報と受信日付でソートすることにより、未読でかつ受信日付の新しいメールを順に選択することを特徴とする請求項２に記載の折り畳み型携帯電話機。
【請求項６】
筐体に設けられた操作手段によって起動され、前記振り分け条件テーブルの前記振り分け条件を設定する手段と、前記管理テーブルの前記フォルダ情報を設定する手段を備えることを特徴とする請求項２から請求項５に記載の折り畳み型携帯電話機。
【請求項７】
筐体を閉じた状態で情報を表示する背面ＬＣＤを備える折り畳み型携帯電話機における受信メール表示処理方法であって、
受信したメールを、メールの重要度に基づいて当該重要度に対応付けられたフォルダに格納するステップと、
筐体を閉じた状態で、前記フォルダに格納された前記メールのうち、未読のメールを重要度の高い順に選択して前記背面ＬＣＤに表示するステップを有することを特徴とする折り畳み型携帯電話機における受信メール表示処理方法。
【請求項８】
受信した前記メールの振り分けに使用する、少なくとも件名、差出人、本文のフィールドの指定と、前記フィールド内の検索キーワードと格納先のフォルダを指定した振り分け条件を設定する振り分け条件テーブルと、
前記フォルダ毎に前記重要度を対応付けて指定したフォルダ情報と、前記各フォルダ毎に格納した前記メールの受信日付、メールの内容、未読と既読の有無を示す未読・既読情報からなるメール情報を格納する管理テーブルを備え、
受信した前記メールを前記振り分け条件テーブルの振り分け条件に基づいて、複数のフォルダに振り分ける振り分けステップと、
前記管理テーブルの前記フォルダ情報及び前記メール情報に基づいて、重要度の高いメールを格納する前記フォルダから順に、未読のメールを選択する選択ステップを有することを特徴とする請求項７に記載の折り畳み型携帯電話機における受信メール表示処理方法。
【請求項９】
前記選択ステップでは、重要度の高い前記フォルダの順に、未読でかつ受信日付の新しいメールを順に選択することを特徴とする請求項８に記載の折り畳み型携帯電話機における受信メール表示処理方法。
【請求項１０】
前記振り分けステップでは、前記振り分け条件テーブルの前記振り分け条件を読み出し、受信したメールから指定されたフィールドとキーワードを検索し、指定された格納先のフォルダに振り分けることを特徴とする請求項８又は請求項９に記載の折り畳み型携帯電話機における受信メール表示処理方法。
【請求項１１】
前記選択ステップでは、前記フォルダ情報を重要度の高い順にソートして、重要度の高いフォルダから順に、当該フォルダに格納される前記メールを未読・既読情報と受信日付でソートすることにより、未読でかつ受信日付の新しいメールを順に選択することを特徴とする請求項８に記載の折り畳み型携帯電話機における受信メール表示処理方法。
【請求項１２】
筐体を閉じた状態で情報を表示する背面ＬＣＤを備える折り畳み型携帯電話機上で実行され、受信メールの表示を制御する受信メール表示処理プログラムであって、
受信したメールを、メールの重要度に基づいて当該重要度に対応付けられたフォルダに格納する機能と、
筐体を閉じた状態で、前記フォルダに格納された前記メールのうち、未読のメールを重要度の高い順に選択して前記背面ＬＣＤに表示する機能を実行することを特徴とする折り畳み型携帯電話機における受信メール表示処理プログラム。
【請求項１３】
受信した前記メールの振り分けに使用する、少なくとも件名、差出人、本文のフィールドの指定と、前記フィールド内の検索キーワードと格納先のフォルダを指定した振り分け条件を設定する振り分け条件テーブルと、
前記フォルダ毎に前記重要度を対応付けて指定したフォルダ情報と、前記各フォルダ毎に格納した前記メールの受信日付、メールの内容、未読と既読の有無を示す未読・既読情報からなるメール情報を格納する管理テーブルを備え、
受信した前記メールを前記振り分け条件テーブルの振り分け条件に基づいて、複数のフォルダに振り分ける振り分け機能と、
前記管理テーブルの前記フォルダ情報及び前記メール情報に基づいて、重要度の高いメールを格納する前記フォルダから順に、未読のメールを選択する選択機能を実行することを特徴とする請求項１２に記載の折り畳み型携帯電話機における受信メール表示処理プログラム。
【請求項１４】
前記選択機能は、重要度の高い前記フォルダの順に、未読でかつ受信日付の新しいメールを順に選択する処理を実行することを特徴とする請求項１３に記載の折り畳み型携帯電話機における受信メール表示処理プログラム。
【請求項１５】
前記振り分け機能は、前記振り分け条件テーブルの前記振り分け条件を読み出し、受信したメールから指定されたフィールドとキーワードを検索し、指定された格納先のフォルダに振り分ける処理を実行することを特徴とする請求項１３又は請求項１４に記載の折り畳み型携帯電話機における受信メール表示処理プログラム。
【請求項１６】
前記選択機能は、前記フォルダ情報を重要度の高い順にソートして、重要度の高いフォルダから順に、当該フォルダに格納される前記メールを未読・既読情報と受信日付でソートすることにより、未読でかつ受信日付の新しいメールを順に選択する処理を実行することを特徴とする請求項１３に記載の折り畳み型携帯電話機における受信メール表示処理プログラム。
【請求項１７】
筐体に設けられた操作手段によって起動され、前記振り分け条件テーブルの前記振り分け条件を設定する機能と、前記管理テーブルの前記フォルダ情報を設定する機能を有することを特徴とする請求項１３から請求項１６に記載の折り畳み型携帯電話機における受信メール表示処理プログラム。
【発明の詳細な説明】
【技術分野】
【０００１】
本発明は、折り畳み型携帯電話機に関し、特に、筐体を閉じた状態で情報を表示する背面ＬＣＤを備える折り畳み型携帯電話機、受信メール表示処理方法及び受信メール表示処理プログラムに関する。
【背景技術】
【０００２】
従来、折り畳み型の携帯電話機においては、筐体を開いた状態で主操作に使用する正面のＬＣＤ（メインディスプレイ）と、筐体を閉じた状態で時刻や着信履歴等の情報を表示する背面のＬＣＤ（サブディスプレイ）を備えた携帯電話機が普及している。
【０００３】
このような携帯電話機では、筐体を閉じた状態での消費電力低減のため、通常、背面のＬＣＤについては、正面のＬＣＤより小型の消費電力の小さなＬＣＤが採用されている。
【０００４】
また、筐体閉時においても携帯電話機の一定の機能を利用できるように、操作可能なボタンが筐体の側面や背面に設けられているが、そのボタンの数は数個程度と少ないので、筐体を閉じた状態で利用することができる機能は極めて限られている。
【０００５】
従来の背面にＬＣＤを備えた折り畳み型携帯電話機としては、例えば特開２００２−１４１９９３号公報（特許文献１）や特開２００２−３２０００６号公報（特許文献２）に開示されるものがある。特許文献１に開示される携帯電話機では、その背面ＬＣＤ（第２のＬＣＤ）を設け、この背面ＬＣＤに筐体を閉じた状態でメールの着信を知らせる情報を表示するものである。
【特許文献１】特開２００２−１４１９９３号公報（図３、図５）
【特許文献２】特開２００２−３２０００６号公報（図１）
【発明の開示】
【発明が解決しようとする課題】
【０００６】
上述した従来の折り畳み型携帯電話機においては、以下に述べるような問題点があった。
【０００７】
消費電力低減のため背面のＬＣＤを小型としているため、筐体を閉じた待ち受け状態でメールが複数着信した場合、背面ＬＣＤへのメール着信表示は、特許文献１に示されるように、最新のメールの着信表示のみを行うか、あるいは着信時刻順に着信表示を行う程度であり、筐体を開いてメール機能を起動して正面のＬＣＤにて確認しないと、重要度の高いメールの着信を確認できないという欠点があった。
【０００８】
従来の折り畳み型携帯電話機では、上記のように、筐体を閉じた状態で操作するボタンが設けられているが、それらのボタンで利用することができる機能は極めて限られており、筐体閉状態でそれらのボタンを操作して重要度の高いメールの未読メールを選択するといった操作もできなかった。
【０００９】
本発明の目的は、以上の問題点を鑑み発案されたものであり、筐体を閉じた状態で、背面のＬＣＤに重要度の高い未読メールを自動的に選択して表示することを可能にする折り畳み型携帯電話機、受信メール表示処理方法及び受信メール表示処理プログラムを提供することにある。
【課題を解決するための手段】
【００１０】
上記目的を達成するための本発明は、筐体を閉じた状態で情報を表示する背面ＬＣＤを備える折り畳み型携帯電話機であって、受信したメールを、メールの重要度に基づいて当該重要度に対応付けられたフォルダに格納し、筐体を閉じた状態で、前記フォルダに格納された前記メールのうち、未読のメールを重要度の高い順に選択して前記背面ＬＣＤに表示する手段を備えることを特徴とする。
【００１１】
請求項２の本発明の折り畳み型携帯電話機は、受信した前記メールの振り分けに使用する、少なくとも件名、差出人、本文のフィールドの指定と、前記フィールド内の検索キーワードと格納先のフォルダを指定した振り分け条件を設定する振り分け条件テーブルと、受信した前記メールを前記振り分け条件テーブルの振り分け条件に基づいて、複数のフォルダに振り分ける振り分け手段と、前記フォルダ毎に前記重要度を対応付けて指定したフォルダ情報と、前記各フォルダ毎に格納した前記メールの受信日付、メールの内容、未読と既読の有無を示す未読・既読情報からなるメール情報を格納する管理テーブルと、前記管理テーブルの前記フォルダ情報及び前記メール情報に基づいて、重要度の高いメールを格納する前記フォルダから順に、未読のメールを選択する選択手段を備えることを特徴とする。
【００１２】
請求項３の本発明の折り畳み型携帯電話機は、前記選択手段は、重要度の高い前記フォルダの順に、未読でかつ受信日付の新しいメールを順に選択することを特徴とする。
【００１３】
請求項４の本発明の折り畳み型携帯電話機は、前記振り分け手段は、前記振り分け条件テーブルの前記振り分け条件を読み出し、受信したメールから指定されたフィールドとキーワードを検索し、指定された格納先のフォルダに振り分けることを特徴とする。
【００１４】
請求項５の本発明の折り畳み型携帯電話機は、前記選択手段は、前記フォルダ情報を重要度の高い順にソートして、重要度の高いフォルダから順に、当該フォルダに格納される前記メールを未読・既読情報と受信日付でソートすることにより、未読でかつ受信日付の新しいメールを順に選択することを特徴とする。
【００１５】
請求項６の本発明の折り畳み型携帯電話機は、筐体に設けられた操作手段によって起動され、前記振り分け条件テーブルの前記振り分け条件を設定する手段と、前記管理テーブルの前記フォルダ情報を設定する手段を備えることを特徴とする。
【００１６】
請求項７の本発明の折り畳み型携帯電話機における受信メール表示処理方法は、筐体を閉じた状態で情報を表示する背面ＬＣＤを備える折り畳み型携帯電話機における受信メール表示処理方法であって、受信したメールを、メールの重要度に基づいて当該重要度に対応付けられたフォルダに格納するステップと、筐体を閉じた状態で、前記フォルダに格納された前記メールのうち、未読のメールを重要度の高い順に選択して前記背面ＬＣＤに表示するステップを有することを特徴とする。
【００１７】
請求項８の本発明の折り畳み型携帯電話機における受信メール表示処理方法は、受信した前記メールの振り分けに使用する、少なくとも件名、差出人、本文のフィールドの指定と、前記フィールド内の検索キーワードと格納先のフォルダを指定した振り分け条件を設定する振り分け条件テーブルと、前記フォルダ毎に前記重要度を対応付けて指定したフォルダ情報と、前記各フォルダ毎に格納した前記メールの受信日付、メールの内容、未読と既読の有無を示す未読・既読情報からなるメール情報を格納する管理テーブルを備え、受信した前記メールを前記振り分け条件テーブルの振り分け条件に基づいて、複数のフォルダに振り分ける振り分けステップと、前記管理テーブルの前記フォルダ情報及び前記メール情報に基づいて、重要度の高いメールを格納する前記フォルダから順に、未読のメールを選択する選択ステップを有することを特徴とする。
【００１８】
請求項９の本発明の折り畳み型携帯電話機における受信メール表示処理方法は、前記選択ステップでは、重要度の高い前記フォルダの順に、未読でかつ受信日付の新しいメールを順に選択することを特徴とする。
【００１９】
請求項１０の本発明の折り畳み型携帯電話機における受信メール表示処理方法は、前記振り分けステップでは、前記振り分け条件テーブルの前記振り分け条件を読み出し、受信したメールから指定されたフィールドとキーワードを検索し、指定された格納先のフォルダに振り分けることを特徴とする。
【００２０】
請求項１１の本発明の折り畳み型携帯電話機における受信メール表示処理方法は、前記選択ステップでは、前記フォルダ情報を重要度の高い順にソートして、重要度の高いフォルダから順に、当該フォルダに格納される前記メールを未読・既読情報と受信日付でソートすることにより、未読でかつ受信日付の新しいメールを順に選択することを特徴とする。
【００２１】
請求項１２の本発明の折り畳み型携帯電話機における受信メール表示処理プログラムは、筐体を閉じた状態で情報を表示する背面ＬＣＤを備える折り畳み型携帯電話機上で実行され、受信メールの表示を制御する受信メール表示処理プログラムであって、受信したメールを、メールの重要度に基づいて当該重要度に対応付けられたフォルダに格納する機能と、筐体を閉じた状態で、前記フォルダに格納された前記メールのうち、未読のメールを重要度の高い順に選択して前記背面ＬＣＤに表示する機能を実行することを特徴とする。
【００２２】
請求項１３の本発明の折り畳み型携帯電話機における受信メール表示処理プログラムは、受信した前記メールの振り分けに使用する、少なくとも件名、差出人、本文のフィールドの指定と、前記フィールド内の検索キーワードと格納先のフォルダを指定した振り分け条件を設定する振り分け条件テーブルと、前記フォルダ毎に前記重要度を対応付けて指定したフォルダ情報と、前記各フォルダ毎に格納した前記メールの受信日付、メールの内容、未読と既読の有無を示す未読・既読情報からなるメール情報を格納する管理テーブルを備え、受信した前記メールを前記振り分け条件テーブルの振り分け条件に基づいて、複数のフォルダに振り分ける振り分け機能と、前記管理テーブルの前記フォルダ情報及び前記メール情報に基づいて、重要度の高いメールを格納する前記フォルダから順に、未読のメールを選択する選択機能を実行することを特徴とする。
【００２３】
請求項１４の本発明の折り畳み型携帯電話機における受信メール表示処理プログラムは、前記選択機能は、重要度の高い前記フォルダの順に、未読でかつ受信日付の新しいメールを順に選択する処理を実行することを特徴とする。
【００２４】
請求項１５の本発明の折り畳み型携帯電話機における受信メール表示処理プログラムは、前記振り分け機能は、前記振り分け条件テーブルの前記振り分け条件を読み出し、受信したメールから指定されたフィールドとキーワードを検索し、指定された格納先のフォルダに振り分ける処理を実行することを特徴とする。
【００２５】
請求項１６の本発明の折り畳み型携帯電話機における受信メール表示処理プログラムは、前記選択機能は、前記フォルダ情報を重要度の高い順にソートして、重要度の高いフォルダから順に、当該フォルダに格納される前記メールを未読・既読情報と受信日付でソートすることにより、未読でかつ受信日付の新しいメールを順に選択する処理を実行することを特徴とする。
【００２６】
請求項１７の本発明の折り畳み型携帯電話機における受信メール表示処理プログラムは、筐体に設けられた操作手段によって起動され、前記振り分け条件テーブルの前記振り分け条件を設定する機能と、前記管理テーブルの前記フォルダ情報を設定する機能を有することを特徴とする。
【発明の効果】
【００２７】
本発明によれば、以下に述べるような優れた効果が達成される。
【００２８】
折り畳み型携帯電話の筐体を閉じた状態で、背面のＬＣＤに重要度の高い未読メールを自動的に選択して表示することができることである。
【００２９】
これにより、筐体を閉じたままの状態で重要メールの着信の有無を確認することが可能で、使用者とって極めて高い利便性を提供することが可能となる。
【実施例１】
【００３０】
以下、本発明の第１の実施例について図面を参照して詳細に説明する。
【００３１】
図１は本発明の第１の実施例による折り畳み型携帯電話機の構成を示すブロック図、図２は本発明の第１の実施例による折り畳み型携帯電話機を開いた状態を示す平面図、図３は本発明の第１の実施例による折り畳み型携帯電話機を閉じた状態を示す平面図である。
【００３２】
図１を参照すると、本実施例の折り畳み型携帯電話機１０は、無線通信を使用して電子メールの受信を行う電子メール受信手段１１と、重要度の高い未読メールを選択して、そのメール内容を背面ＬＣＤに表示するための処理を行う未読メール確認表示手段１２と、指定された文字や図形等を背面ＬＣＤに表示する背面ＬＣＤ表示手段１３と、受信したメールのフォルダ振り分け条件を格納するメール振り分けテーブル１４と、メールを格納するフォルダ毎のフォルダ名、重要度、各フォルダ内のメール等を管理するフォルダ管理手段１５と、メール振り分けテーブル１４に格納する振り分け条件の設定を行うユーザインタフェースとして機能する振り分け条件設定手段１６と、各フォルダのフォルダ名、重要度を設定するユーザインタフェースとして機能するフォルダ設定手段１７とを備えている。
【００３３】
電子メール受信手段１１は、メール振り分けテーブル１４の振り分け条件とフォルダ管理手段１５のフォルダ管理情報を参照して、受信メールを件名、差出人（差出人アドレス）等に基づいて自動的に複数のフォルダに振り分ける機能を有している。
【００３４】
また、未読メール確認表示手段１２は、これを利用して重要度の高いフォルダの未読メールを自動的に選択して背面ＬＣＤに表示することができる機能を有している。
【００３５】
なお、図１においては、便宜上本発明の特徴的な構成要件についてのみ示したが、実際の折り畳み型携帯電話機１０には、プログラム制御可能なコンピュータ処理部（ＣＰＵ）やメモリが備えられており、コンピュータ処理装置（ＣＰＵ）上で、上記各構成要素を含む携帯電話機の各種機能を実現するプログラム（制御プログラム）をロードして実行することで、携帯電話機としての機能を実現する。この制御プログラムは、半導体メモリその他の記録媒体に格納され、その記録媒体からコンピュータ処理装置にロードされ、コンピュータ処理装置の動作を制御する。
【００３６】
図２と図３を参照すると、本実施例の折り畳み型携帯電話機は、図示のように、アンテナ２１、開いた状態での表示に使用する正面ＬＣＤ２２、閉じた状態での表示に使用する背面ＬＣＤ２３、ヒンジ部２４、開いた状態で通話やメールその他の各種機能の操作を行うための操作ボタン２５、閉じた状態でも所定の機能の操作が可能な側面ボタン２６、２７を有している。
【００３７】
図４は、メール振り分けテーブル１４に格納される振り分け条件の構成例を示しており、受信メールの振り分けに使用する検索フィールド（件名、差出人アドレス、宛先アドレス、本文のいずれかを指定）を指定する検索対象フィールド３１、検索対象フィールド３１で指定された検索フィールド内で検索するキーワードを指定するキーワードフィールド３２、フィールド及びキーワードに示される条件と受信メール内のそれが一致した場合のフォルダを指定する格納先フォルダ番号３３を１組とする振り分け条件レコードが複数格納されている。
【００３８】
図５と図６は、フォルダ管理手段１５に格納される管理テーブルの構成例を示している。図５は各フォルダの名称や重要度などのフォルダ全体を管理するフォルダ管理情報を格納するフォルダ管理テーブル４０、図６は各フォルダに格納されるメールの情報（メール情報）をフォルダ毎に管理するメール情報管理テーブル５０である。
【００３９】
図５において、フォルダ管理テーブル４０は、フォルダ番号４１、重要度４２、フォルダ名４３、未読メール数４４を各フォルダ毎に保持している。重要度４２については、例えば、「０」が重要度最大、０ｘＦＦ（１０進で２５５）が重要度最小と定義する。
【００４０】
図６において、メール情報管理テーブル５０は、各フォルダ毎に、そのフォルダに格納されているメールの、受信日付（日時）５１、メール内容５２、未読・既読情報５３からなるメール情報を保持している。
【００４１】
次いで、上記のように構成される本実施例による折り畳み型携帯電話機の動作について、図１から図１１を参照して説明する。
【００４２】
図７は、本実施例の折り畳み型携帯電話機１０において、電子メールを受信した時の電子メール受信手段１１の動作を示すフローチャートである。
【００４３】
基地局からの着信通知又はユーザのメール受信操作によりメール受信を開始すると、無線通信によりメールサーバからメールを受信する（ステップ７０１）。
【００４４】
次に、メール振り分けテーブル１４から振り分け条件レコードを１件読み出す（ステップ７０２）。
【００４５】
読み出した振り分け条件レコードの検索対象フィールド３１で指定された検索フィールドと、検索キーワードフィールド３２で指定されたキーワードを読み出し、受信メールにその検索フィールドと対象キーワードが存在するかを検索する（ステップ７０３〜ステップ７０７）。
【００４６】
この検索では、検索フィールドが「件名」であれば（ステップ７０３）、受信メールの件名の内容と検索キーワードフィールド３２で指定されたキーワードが一致（部分一致）するかを判定し（ステップ７０５）、検索フィールドが「件名」でなく「差出人アドレス」であれば（ステップ７０４）、受信メールの差出人アドレスの内容と検索キーワードフィールド３２で指定されたキーワードが一致（部分一致）するかを判定し（ステップ７０６）、検索フィールドが「差出人アドレス」でなければ、受信メールの本文の内容と検索キーワードフィールド３２で指定されたキーワードが一致（部分一致）するかを判定する（ステップ７０７）。
【００４７】
ステップ７０５〜７０７で、受信メールの件名、差出人アドレス又は本文の何れかにおいてキーワードが一致した場合には、読み出した振り分け条件レコードの格納先フォルダ番号３３を読み出し（ステップ７０８）、フォルダ管理手段１５に対して格納先フォルダ番号３３で指定される対象フォルダへの受信メール格納を要求する（ステップ７１１）。
【００４８】
ステップ７０５〜７０７で、受信メールの各フィールドの内容とキーワードが一致しなかった場合は、メール振り分けテーブル１４の全ての振り分け条件レコードについて検索処理を行ったか判定し（ステップ７０９）、未処理の振り分け条件レコードが存在すれば、ステップ７０２で次の振り分け条件レコードを読み出し、ステップ７０３〜ステップ７０７で上記と同様のキーワードの検索処理を行う。
【００４９】
ステップ７０９で、メール振り分けテーブル１４の全ての振り分け条件レコードについて検索処理が終了している場合は、格納先フォルダ番号を「０」（デフォルト受信フォルダを指定する番号）として（ステップ７１０）、フォルダ管理手段１５に対して、番号「０」で指定されるデフォルト受信フォルダへの受信メール格納を要求する（ステップ７１１）。
【００５０】
以上のように、電子メールを受信した場合、電子メール受信手段１１によって、受信メールがメール振り分けテーブル１４の振り分け条件レコードで指定される条件に従って指定のフォルダ（格納先フォルダ番号で指定されるフォルダ）に格納されるものである。
【００５１】
図８は、本実施例の折り畳み型携帯電話機１０において、未読メール確認表示手段１２が、背面ＬＣＤにメール情報を表示する際の動作を示すフローチャートである。
【００５２】
上記未読メール確認表示手段１２による機能については、筐体が閉状態で利用できるように、図２、図３に示す側面ボタン２６、２７に未読メール確認表示手段１２を実行する機能を割り当てるものとする。
【００５３】
本実施例では、側面ボタン２６を未読メール確認表示手段１２の起動、側面ボタン２７を次メール表示に割り当てた場合について説明する。
【００５４】
折り畳み型携帯電話機１０の側面ボタン２６の押下により、未読メール確認表示手段１２が起動されると、フォルダ管理手段１５より、図５に示すフォルダ管理テーブル４０のフォルダ管理情報を全て読み出す（ステップ８０１）。
【００５５】
次に、読み出したフォルダ管理テーブル４０のフォルダ管理情報を重要度４２をソートキーとして、重要度の高い順（本実施例では「０」から）にソート処理を行う（ステップ８０２）。
【００５６】
ソート済みのフォルダ管理テーブル４０の先頭よりフォルダ管理情報を１件読み出し（ステップ８０３）、フォルダ番号４１で指定される対象フォルダの未読メール有無を未読メール数４４より判定する（ステップ８０４）。
【００５７】
ステップ８０４で、未読メール無しの場合は、フォルダ管理テーブル４０の次のフォルダ管理情報を読み出し、全フォルダについて処理が完了するまで繰り返す（ステップ８０５）。
【００５８】
未読メール有無の判定（ステップ８０４）にて、未読メールが１件以上存在する場合、メール情報管理テーブル５０からフォルダ番号４１で指定される対象フォルダのメール情報（図６）を全て読み出し、未読・既読情報５３、受信日付５１の順にソートキーとしてソート処理を行う（ステップ８０７）。未読・既読情報５３については、未読から既読の順、受信日付５１については、日付の新しい順にソートを行う。
【００５９】
次いで、対象フォルダからメール情報のソート順（最も新しいメールから）にメールを１件読み出す（ステップ８０８）。
【００６０】
メール読み出しに成功した場合（ステップ８０９）は、読み出したメールが未読メールか否か判定し（ステップ８１０）、未読であれば当該メールの内容を表示する要求を背面ＬＣＤ表示手段１３に対して行う（ステップ８１１）。
【００６１】
この要求を受けた背面ＬＣＤ表示手段１３は、背面ＬＣＤ２３に要求されたメールの内容を表示する。図９の（Ｂ）はその際の背面ＬＣＤ２３の表示例を示している。図示のように、背面ＬＣＤ２３上に、メールの内容が、件名、差出人、受信日付、本文の順に表示される。
【００６２】
背面ＬＣＤ２３にメール内容が表示された後、側面ボタンの押下を待ち合わせ（ステップ８１２）、側面ボタン２６が押下された場合本処理を終了し、側面ボタン２７が押下された場合、ステップ８０８からの処理を再度実行し、次の未読メールの表示処理を行う。
【００６３】
ステップ８０９でメールの読み出しに失敗した場合（残りメール無し）又はステップ８１０で未読メールでない場合（既読メールの場合）、ステップ８０３に戻り次のフォルダ管理情報で指定されるフォルダについて上記と同様の処理を行う。
【００６４】
全フォルダ処理完了の判定（ステップ８０５）にて、全フォルダの処理が完了した場合は、未確認のメールが無い旨の表示を背面ＬＣＤ表示手段１３に対して要求し処理を完了する。図９の（Ａ）はその際の背面ＬＣＤ２３の表示例を示している。図示のように、背面ＬＣＤ２３には、「未確認メールはありません」のメッセージが表示される。
【００６５】
メール振り分けテーブル１４の振り分け条件については、振り分け条件設定手段１６の機能を利用することで、使用者により任意の振り分け条件を設定することが可能である。この振り分け条件設定手段１６は、折り畳み型携帯電話機１０の筐体を開いた状態で、使用者の操作（操作ボタン２５による操作）により呼び出され、図１０に示すような振り分け条件設定のための画面（振り分け条件設定画面６０）を正面ＬＣＤ２２に表示し、その振り分け条件設定画面６０から使用者による入力結果（検索フィールド、キーワード、格納先フォルダ）をメール振り分けテーブル１４に設定する。
【００６６】
なお、図１０の例では、格納先フォルダとしてその名称を指定するようになっているが、ここで指定された格納先フォルダに対応する番号がメール振り分けテーブル１４の格納先フォルダ番号３３に設定される。
【００６７】
フォルダ管理手段１５のフォルダ管理テーブル４０に格納される各フォルダ名４３及び重要度４２の情報は、フォルダ設定手段１７の機能を利用することで、使用者により任意の名称、重要度を設定することが可能である。このフォルダ設定手段１７は、折り畳み型携帯電話機１０の筐体を開いた状態で、使用者の操作（操作ボタン２５による操作）により呼び出され、図１１に示すようなフォルダの設定を行うための画面（フォルダ設定画面７０）を正面ＬＣＤ２２に表示し、そのフォルダ設定画面７０から使用者による入力結果（フォルダ名と重要度の指定）をフォルダ管理手段１５に設定する。
【００６８】
上記本実施例による折り畳み型携帯電話機１０は、上記のように構成されかつ動作することから、折り畳み型携帯電話１０の筐体を閉じた状態で、背面ＬＣＤ２２に重要度の高い未読メールを自動選択して表示することができるようになる。これにおり、筐体を閉じたままの状態で重要メールの着信の有無を確認することが可能となり、使用者に高い利便性を提供できるようになる。
【００６９】
本発明の折り畳み型携帯電話機１０の受信メール表示処理機能は、その機能をハードウェア的に実現することは勿論として、図１に示す各手段の機能を実行する受信メール表示処理プログラム（アプリケーション）を折り畳み型携帯電話機のコンピュータ処理装置（ＣＰＵ）で実行することにより、ソフトウェア的に実現することが可能である。この受信メール表示処理プログラムは、磁気ディスク、半導体メモリその他の記録媒体に格納され、その記録媒体からコンピュータ処理装置にロードされ、コンピュータ処理装置を制御することにより上述した各機能を実現する。
【００７０】
以上、好ましい実施例をあげて本発明を説明したが、本発明は必ずしも上記実施例に限定されるものではない。本発明の要旨を逸脱しない範囲内において種々の変形が可能であることは言うまでもない。
【図面の簡単な説明】
【００７１】
【図１】本発明の第１の実施例による折り畳み型携帯電話機の構成を示すブロック図である。
【図２】本発明の第１の実施例による折り畳み型携帯電話機を開いた状態を示す平面図である。
【図３】本発明の第１の実施例による折り畳み型携帯電話機を閉じた状態を示す平面図である。
【図４】本発明の第１の実施例によるメール振り分けテーブルに格納される振り分け条件の構成例を示す図である。
【図５】本発明の第１の実施例によるフォルダ管理手段に格納されるフォルダ管理テーブルの構成例を示す図である。
【図６】本発明の第１の実施例による各フォルダに格納されるメールのメール情報をフォルダ毎に管理するメール情報管理テーブルの構成例を示す図である。
【図７】本発明の第１の実施例による電子メールを受信した時の電子メール受信手段の動作を示すフローチャートである。
【図８】本発明の第１の実施例による未読メール確認表示手段が背面ＬＣＤにメール情報を表示する際の動作を示すフローチャートである。
【図９】本発明の第１の実施例による背面ＬＣＤへの表示例を示す図である。
【図１０】本発明の第１の実施例による振り分け条件設定のための画面を正面ＬＣＤに表示した状態を示す図である。
【図１１】本発明の第１の実施例によるフォルダの設定を行うための画面を正面ＬＣＤに表示した状態を示す図である。
【符号の説明】
【００７２】
１０：折り畳み型携帯電話機
１１：電子メール受信手段
１２：未読メール確認表示手段
１３：背面ＬＣＤ表示手段
１４：メール振り分けテーブル
１５：フォルダ管理手段
１６：振り分け条件設定手段
１７：フォルダ設定手段
２２：正面ＬＣＤ
２３：背面ＬＣＤ
２６、２７：側面ボタン
４０：フォルダ管理テーブル
５０：メール情報管理テーブル
６０：振り分け条件設定画面
７０：フォルダ設定画面
【図１】
2005277798.tif 000003
【図２】
2005277798.tif 000004
【図３】
2005277798.tif 000005
【図４】
2005277798.tif 000006
【図５】
2005277798.tif 000007
【図６】
2005277798.tif 000008
【図７】
2005277798.tif 000009
【図８】
2005277798.tif 000010
【図９】
2005277798.tif 000011
【図１０】
2005277798.tif 000012
【図１１】
2005277798.tif 000013